(57)【特許請求の範囲】
【請求項１】
第１の縦枠と第２の縦枠の一対の縦枠の上部同士が上枠で連結され下部同士が下枠で連結されてなるおもり枠内に複数のおもり片が積み重ねられて収納された、エレベータの釣合おもりに装着される補強器具であって、
前記第１の縦枠に、前記第２の縦枠に向かって引掛けられる第１の引掛具と、
前記第２の縦枠に、前記第１の縦枠に向かって引掛けられる第２の引掛具と、
前記複数のおもり片の内上下方向に隣接する二つの前記おもり片の間に介挿され、前記第１の引掛具と連結される第１の介挿具と、
前記二つのおもり片の間に介挿され、前記第２の引掛具と連結される第２の介挿具と、
前記第１の引掛具が連結された前記第１の介挿具と前記第２の引掛具が連結された前記第２の介挿具を、前記第１の引掛具と前記第２の引掛具が相互に引き寄せられる向きに、引き付けた状態で締結する締結具と、
を有し、
前記第１の介挿具および前記第２の介挿具の各々は、前記上下方向に隣接する前記二つのおもり片の内、下側のおもり片の上に載置されるものであり、
前記第１の引掛具と前記第２の引掛具とは、前記締結具によって前記相互に引き寄せられる向きに、引き付けた状態とされることによって、前記第１の縦枠と前記第２の縦枠にそれぞれ固定されることを特徴とする、エレベータの釣合おもり用補強器具。
【請求項２】
前記第１の縦枠と前記第２の縦枠は、それぞれコ字状の横断面を有し、当該コ字の開口部同士が対向する姿勢で、前記上枠と前記下枠とで連結されていて、
前記第１の引掛具は、前記第１の縦枠の前記コ字における第１角部に引掛けられる第１の鉤状部材と第２角部に引掛けられる第２の鉤状部材からなり、当該両鉤状部材が前記第１の介挿具に連結されており、
前記第２の引掛具は、前記第２の縦枠の前記コ字における第１角部に引掛けられる第１の鉤状部材と第２角部に引掛けられる第２の鉤状部材からなり、当該両鉤状部材が前記第２の介挿具に連結されていることを特徴とする請求項１に記載のエレベータの釣合おもり用補強器具。
【請求項３】
前記釣合おもりは、前記第１の縦枠と前記第２の縦枠における前記コ字各々の前記開口部とは反対側にそれぞれ設置された一対のガイドレールに案内されて昇降する釣合おもりであって、
前記第１の縦枠に引掛けられた、前記第１の引掛具を構成する前記第１の鉤状部材と前記第２の鉤状部材との間には、当該第１の縦枠に対応する前記ガイドレールと干渉しないよう間隙が空いており、
前記第２の縦枠に引掛けられた、前記第２の引掛具を構成する前記第１の鉤状部材と前記第２の鉤状部材との間には、当該第２の縦枠に対応する前記ガイドレールと干渉しないよう間隙が空いていることを特徴する請求項２に記載のエレベータの釣合おもり用補強器具。
【請求項４】
第１の縦枠と第２の縦枠の一対の縦枠の上部同士が上枠で連結され下部同士が下枠で連結されてなるおもり枠内に複数のおもり片が積み重ねられて収納された、エレベータの釣合おもりであって、
請求項１〜３のいずれか１項に記載の釣合おもり用補強器具が装着されて、前記おもり枠が補強されていることを特徴とする、エレベータの釣合おもり。
【発明の詳細な説明】
【技術分野】
【０００１】
本発明は、エレベータの釣合おもり用補強器具、およびエレベータの釣合おもりに関し、特に、おもり枠の補強技術に関する。
【背景技術】
【０００２】
釣合おもりは、おもり枠と当該おもり枠内に収納された複数のおもり片により構成される。おもり枠は、一対の縦枠、並びに当該縦枠の上部同士を連結する上枠および下部同士を連結する下枠を含む。
【０００３】
縦枠には、一般的にコ字状横断面を有する溝形鋼が用いられ、一対の縦枠は、コ字の開口部同士が対向する姿勢で、上枠と下枠とで連結されている。
【０００４】
前記複数のおもり片の各々は、帯状をした鋼材からなり、前記開口部に嵌るように、一般的に両端部部分がその他の部分よりも幅狭に形成されている。そして、当該複数のおもり片の各々は、その両端部部分が対応する縦枠の開口部に嵌めこまれた状態で、積み重ねられて、おもり枠内に収納されている。これにより、おもり片は、おもり枠から簡単には脱落しないようになっている。
【０００５】
ところで、近時に発生した大地震によるエレベータでの被害事例を受け、耐震強化を目的として、エレベータに関する耐震関係告示が平成２５年に制定され（平成２５年度国土交通省告示）、平成２６年４月１日に施行されている。この告示は多岐にわたっているが、釣合おもりに関しては、第１０４８号において、「おもり枠が地震力を受けた場合に、縦枠に生じるたわみによっておもり片がおもり枠から外れないこと」が要求されている。
【０００６】
当該告示の施行日以降に新たに設置されるエレベータについては、前記要求を満足することが求められる。一方、施行日よりも前に設置されているエレベータについては、前記要求を満足することが法的に求められることは無いものの、耐震強化を望む顧客からの要望等に基づく、釣合おもりに対する耐震補強の要請がある。
【０００７】
上記告示で示された要求を満足するためには、おもり枠に対し、一対の縦枠が外方に膨出するようにたわむのを抑制するための補強処理を施せば良い。
【０００８】
既設のエレベータにおける釣合おもりに対し、そのような補強処理となり得る技術が特許文献１、特許文献２に開示されている。
【０００９】
特許文献１には、一対の縦枠の前面にボルトにより両端部が取り付けられて、おもり枠の前側で上記一対の縦枠を連結する、帯状をした金属板からなる前側連結体、上記前側連結体の両端部にボルトによりそれぞれ、対応する縦枠に当接状態で取り付けられている一対の取付金、及び上記一対の取付金にボルトにより両端部が取り付けられ、上記おもり枠の後側で上記一対の取付金を連結する、帯状をした金属板からなる後側連結体を備えた耐震装置（補強器具）が開示されている（特許文献１の請求項１、図２、図４等）。
【００１０】
特許文献２には、帯状をした金属板からなり、両端部の各々が対応する縦枠を抱えるように「コ」字状に屈曲された後側連結体と、おもり枠の前側に配された、帯状をした金属板からなり、両端部が前記後側連結体の両端部とともに、一対の縦枠の前面にボルトによって連結された前側連結体とを備えた耐震装置（補強器具）が開示されている（特許文献２の請求項１、図３、図５等）。
【００１１】
そして、特許文献１、特許文献２共に、前側連結体と後側連結体とは、縦枠の上下方向における中間部分に固定されている（特許文献１の図１、特許文献２の図２）。
【００１２】
特許文献１に記載された補強器具によれば、一対の縦枠に当接状態で設けられた一対の取付金同士を連結する前側連結体と後側連結体とが、特許文献２に記載された補強器具によれば、「コ」字状に屈曲された両端部で一対の縦枠を抱えるように設けられた後側連結体と当該後側連結体の両端部を連結する前側連結体とが、一対の縦枠の上下方向における中間部同士を相互に拘束し、当該一対の縦枠が外方に膨出するようにたわむのを抑制する。その結果、縦枠に生じるたわみによっておもり片がおもり枠から外れることを防止できる。
【００１３】
ところが、おもり枠の製造上の理由から、一対の縦枠の間隔（水平方向における一対の縦枠間の距離）にはバラツキが生じる。このため、当該間隔が大きすぎると、特許文献１，２の耐震装置は既存の釣合おもりに取り付けることが困難になる（特に、後側連結体の取付が困難となる。）。一方、前記間隔が小さすぎると、特許文献１の耐震装置では、取付金と縦枠との間、特許文献２では、後側連結体の両端部と縦枠との間に隙間が生じ、一対の縦枠に対する上記した拘束が不十分なものとなり、おもり枠の補強機能が損なわれてしまう。
【００１４】
これに対し、特許文献３には、一対の縦枠の中間部分にワイヤロープを巻き付ける構成の補強器具が開示されている（特許文献３の図１、図２）。ワイヤロープには、所定の長さに切断された工業用ビニールホースからなる保護管（特許文献３の段落[００３０]、図２）が４個、外挿されている。当該ワイヤロープの一端部には、締付金具が固定されており、他端部には、スタッドボルトの一端部が連結されている。前記締付金具には、前記スタッドボルトの挿通孔が開設されている。そして、上記の構成からなる補強器具は、一対の縦枠の四隅に、前記保護管の各々が位置するように、前記ワイヤロープを巻き付けた後、前記締付金具の貫通孔にスタッドボルトの他端部部分を挿入し、当該他端部部分の先端から螺合させたナットを締め付けることにより、当該ワイヤロープでおもり枠を緊締して、既存の釣合おもりに取り付けられる。
【００１５】
特許文献３の補強器具によれば、一対の縦枠の間隔が大きすぎても小さすぎても、４個の保護管を縦枠に当接させた状態（圧接させた状態）で取り付けることができ、一対の縦枠が外方に膨出するようにたわむのを抑制することができる。
【先行技術文献】
【特許文献】
【００１６】
【特許文献１】特許第４７９９７３０号公報（特開２００２−１６７１４４号公報）
【特許文献２】特開２００８−１４３６５５号公報
【特許文献３】特開平１０−６７４７８号公報
【特許文献４】特開２００１−２５３６６７号公報
【特許文献５】特開平１１−６０１１３号公報
【特許文献６】特許第２７７４９０２号公報（特開平６−１５６８号公報）
【発明の概要】
【発明が解決しようとする課題】
【００１７】
しかしながら、特許文献３に記載の補強器具では、ワイヤロープがその性質上経年変化により伸び、前記緊締が緩むことがあり、この場合、補強器具が下方へずり落ちてしまう。このずり落ちを防止するため、特許文献３では、ワイヤロープが巻き付けられる縦枠の部位よりも上部の縦枠部分に固定金具を固定し、当該固定金具に取り付けられた結束バンドで、ワイヤロープを吊り下げるようにしている。これにより、補強器具のずり落ちを防止することができるものの、おもり枠の補強には本来的に不要な部材を要する上、当該部材を取り付ける手間を要することとなる。
【００１８】
本発明は、上記した課題に鑑み、一対の縦枠の間隔にバラツキがあったとしても、おもり枠の補強機能を発揮できる状態で取り付けることができると共に、取り付けられた位置を効果的に維持することが可能な、エレベータの釣合おもり用補強器具を提供することを第１の目的とする。
【００１９】
本発明の第２の目的は、そのような補強器具で補強された、エレベータの釣合おもりを提供することである。
【課題を解決するための手段】
【００２０】
上記第１の目的を達成するため、本発明に係る、エレベータの釣合おもり用補強器具は、第１の縦枠と第２の縦枠の一対の縦枠の上部同士が上枠で連結され下部同士が下枠で連結されてなるおもり枠内に複数のおもり片が積み重ねられて収納された、エレベータの釣合おもりに装着される補強器具であって、前記第１の縦枠に、前記第２の縦枠に向かって引掛けられる第１の引掛具と、前記第２の縦枠に、前記第１の縦枠に向かって引掛けられる第２の引掛具と、前記複数のおもり片の内上下方向に隣接する二つの前記おもり片の間に介挿され、前記第１の引掛具と連結される第１の介挿具と、前記二つのおもり片の間に介挿され、前記第２の引掛具と連結される第２の介挿具と、前記第１の引掛具が連結された前記第１の介挿具と前記第２の引掛具が連結された前記第２の介挿具を、前記第１の引掛具と前記第２の引掛具が相互に引き寄せられる向きに、引き付けた状態で締結する締結具と、を有することを特徴とする。
【００２１】
また、前記第１の縦枠と前記第２の縦枠は、それぞれコ字状の横断面を有し、当該コ字の開口部同士が対向する姿勢で、前記上枠と前記下枠とで連結されていて、前記第１の引掛具は、前記第１の縦枠の前記コ字における第１角部に引掛けられる第１の鉤状部材と第２角部に引掛けられる第２の鉤状部材からなり、当該両鉤状部材が前記第１の介挿具に連結されており、前記第２の引掛具は、前記第２の縦枠の前記コ字における第１角部に引掛けられる第１の鉤状部材と第２角部に引掛けられる第２の鉤状部材からなり、当該両鉤状部材が前記第２の介挿具に連結されていることを特徴とする。
【００２２】
さらに、前記釣合おもりは、前記第１の縦枠と前記第２の縦枠における前記コ字各々の前記開口部とは反対側にそれぞれ設置された一対のガイドレールに案内されて昇降する釣合おもりであって、前記第１の縦枠に引掛けられた、前記第１の引掛具を構成する前記第１の鉤状部材と前記第２の鉤状部材との間には、当該第１の縦枠に対応する前記ガイドレールと干渉しないよう間隙が空いており、前記第２の縦枠に引掛けられた、前記第２の引掛具を構成する前記第１の鉤状部材と前記第２の鉤状部材との間には、当該第２の縦枠に対応する前記ガイドレールと干渉しないよう間隙が空いていることを特徴する。
【００２３】
上記第２の目的を達成するため、本発明に係る、エレベータの釣合おもりは、第１の縦枠と第２の縦枠の一対の縦枠の上部同士が上枠で連結され下部同士が下枠で連結されてなるおもり枠内に複数のおもり片が積み重ねられて収納された、エレベータの釣合おもりであって、上記した釣合おもり用補強器具が装着されて、前記おもり枠が補強されていることを特徴とする。
【発明の効果】
【００２４】
本発明に係るエレベータの釣合おもり用補強器具によれば、第１の縦枠に、第２の縦枠に向かって引掛けられる第１の引掛具と連結される第１の介挿具と、第２の縦枠に、第１の縦枠に向かって引掛けられる第２の引掛具と連結される第２の介挿具とが、前記第１の引掛具と前記第２の引掛具が相互に引き寄せられる向きに、引き付けた状態で締結される。これにより、第１の縦枠と第２の縦枠の間隔にバラツキがあったとしても、第１の縦枠に第１の引掛具が、第２の縦枠に第２の引掛具が、それぞれ確実に当接した、おもり枠の補強機能を発揮できる状態で取り付けることができる。
【００２５】
また、前記第１の介挿具と前記第２の介挿具とは、上下方向に隣接する二つのおもり片の間に介挿されるため、当該釣合おもり用補強器具全体が、取り付けられた位置よりも下方へずり落ちることなく、当該取り付けられた位置が効果的に維持される。
【００２６】
また、本発明に係るエレベータの釣合おもりによれば、第１の縦枠と第２の縦枠の一対の縦枠の上部同士が上枠で連結され下部同士が下枠で連結されてなるおもり枠内に複数のおもり片が積み重ねられて収納された、エレベータの釣合おもりであって、上記の釣合おもり用補強器具が装着されて、前記おもり枠が補強されているため、上記と同様の効果を奏する。
【図面の簡単な説明】
【００２７】
【図１】実施形態に係る釣合おもり用補強器具の装着対象となる既存の釣合おもりの一例を示す正面図である。
【図２】図１において、Ａ−Ａ線に沿って切断した断面図である。
【図３】実施形態１に係る釣合おもり用補強器具の構成部材を示す平面図である。
【図４】上記釣合おもり用補強器具の構成部材の内、第１介挿具、第１および第２の鉤状部材からなる第１の引掛具を示す斜視図である。
【図５】実施形態１に係る釣合おもり用補強器具が装着されておもり枠が補強された釣合おもりを示す正面図である。
【図６】図５における、（ａ）は、上記釣合おもり用補強器具とおもり枠を構成する縦枠のみを示した平面図であり、（ｂ）は同正面図である。
【図７】上記釣合おもり用補強器具の上記釣合おもりへの装着作業における一工程を説明するための図である。
【図８】実施形態２に係る釣合おもり用補強器具が装着されておもり枠が補強された釣合おもりにおいて、（ａ）は、当該釣合おもり用補強器具とおもり枠を構成する縦枠のみを示した平面図であり、（ｂ）は、正面図の一部である。
【図９】実施形態２に係る釣合おもり用補強器具の構成部材であるスペーサの斜視図である。
【図１０】実施形態３に係る釣合おもり用補強器具の、（ａ）は引掛具の正面図を、（ｂ）は介挿具の斜視図を、（ｃ）は前記釣合おもり用補強器具が釣合おもりに装着された状態において、一方のガイドレール、および当該釣合おもり用補強器具とおもり枠を構成する縦枠のみを示した平面図の一部を、それぞれ示している。
【発明を実施するための形態】
【００２８】
以下、本発明の実施形態について、図面を参照しながら説明する。
＜実施形態１＞
〔補強対象釣合おもり〕
実施形態１に係る、エレベータの釣合おもり用補強器具１０（以下、単に「補強器具１０」と言う。）の説明の前に、補強器具１０（図３〜図４）による補強対象となる既設の釣合おもりの一例を、図１、図２に基づいて説明する。
【００２９】
釣合おもり３００は、トラクション式のエレベータで用いられるおもりである。トラクション式は、かご（不図示）と釣合おもり３００をワイヤロープ３０２でつるべ式に連結し、ワイヤロープ３０２の折り返し中間地点に設置された巻上機のシーブ（不図示）にワイヤロープ３０２を巻き掛け、前記シーブを電動機（不図示）で正転または逆転させることで、ワイヤロープ３０２を走行させ、昇降路（不図示）内で、かごと釣合おもり３００を互いに反対向きに昇降させる方式である。
【００３０】
釣合おもり３００は、前記昇降路内において上下方向に敷設された一対のガイドレール３０４，３０６間に設けられる。釣合おもり３００は、全体的に方形をしたおもり枠３０８内に複数の（本例では、１６個の）おもり片３１０が積み重ねられてなる構成を基本構成とする。複数のおもり片３１０は、いずれも同じものであるが、それぞれを区別する必要がある場合は、符号「３１０」にアルファベットの小文字「ａ，ｂ，ｃ，...」を添えることとする。
【００３１】
おもり枠３０８は、第１の縦枠３１２と第２の縦枠３１４の一対の縦枠３１２，３１４の上部同士が上枠３１６で連結され、下部同士が下枠３１８で連結されてなる。
【００３２】
第１の縦枠３１２と第２の縦枠３１４には、ぞれぞれ、コ字状の横断面を有する溝形鋼が用いられ、図２に示すように、前記コ字の開口部３１２ａ，３１４ａ同士が対向する姿勢で、上枠３１６と下枠３１８とで連結されている。
【００３３】
下枠３１８は、長方形の鋼板を用いた一対の板部材３１８ａ、３１８ｂからなる。板部材３１８ａ，３１８ｂの両端部部分がそれぞれ、対応する縦枠３１２，３１４に接合されている。上枠３１６も、長方形の鋼板を用いた一対の板部材３１８ａ（一方の、板部材３１８ａのみが、図１に現れている）からなり、一対の板部材３１８ａの両端部部分がそれぞれ、対応する縦枠３１２，３１４に接合されている。上記接合は、溶接やボルト締めによってなされている（いずれも不図示）。
【００３４】
おもり片３１０の各々は、帯状をした鋼材からなり、第１および第２の縦枠３１２，３１４の開口部３１２ａ，３１４ａに嵌るよう、図２に示すように、両端部部分がその他の部分よりも幅狭に形成された幅狭部３１０１，３１０２を有している。ここで、幅狭部３１０１，３１０２間の、幅狭部３１０１，３１０２よりも幅の広い部分を幅広部３１０３と称することとする。
【００３５】
そして、複数のおもり片３１０の各々は、幅狭部３１０１，３１０２がそれぞれ開口部３１２ａ，３１４ａに嵌めこまれた状態で、積み重ねられて、おもり枠３０８内に収納されている。この場合に、最下位のおもり片３１０ｇ（図１）は、その幅広部３１０３が下枠３１８を構成する板部材３１８ａ、３１８ｂの上端に当接して、板部材３１８ａ，３１８ｂで受け止められている。
【００３６】
また、おもり片３１０は、厚み方向に開設された２個の貫通孔３１０４，３１０５を有している。貫通孔３１０４，３１０５の各々には、通しボルト３２０，３２２が、それぞれ挿入されている。
【００３７】
複数のおもり片３１０の貫通孔３１０４，３１０５に挿入されて、複数のおもり片３１０の全てを貫通した通しボルト３２０，３２２の上端部部分には、それぞれ２個のナット３２６，３２８が螺合している。ナット３２６，３２８と最上位のおもり片３１０ａの上面との間の通しボルト３２０，３２２部分には、平座金３３０，３３２が嵌められている。
【００３８】
通しボルト３２０，３２２の下端部部分は、下枠３１８を構成する２枚の板部材３１８ａ，３１８ｂの下端部に当該下端部間を橋渡しするように接合された取付板３３４に開設された２個の貫通孔（不図示）に挿入されていて、取付板３３４から突出した通しボルト３２０，３２２部分にそれぞれ２個のナット３３６，３３８が締め付けられている。
【００３９】
第１の縦枠３１２の上端と下端には、ガイドレール３０４に摺接するガイドシュー３４０，３４２が設けられており、第２の縦枠３１４の上端と下端には、ガイドレール３０６に摺接するガイドシュー３４４，３４６が設けられている。
【００４０】
上枠３１６とワイヤロープ３０２とは、シャックルロッド３４８等を含む公知の連結手段３５０を介して連結されていて、釣合おもり３００がワイヤロープ３０２で吊り下げられている。
【００４１】
上記の構成からなる釣合おもり３００は、ガイドシュー３４０，３４２、ガイドシュー３４４，３４６がそれぞれガイドレール３０４，３０６に案内されて昇降路（不図示）内を昇降する。
【００４２】
ここで、昇降路内における省スペースの観点から、ガイドレール３０４とガイドレール３０６間の空間を有効に利用するため、両ガイドレール３０４，３０６と釣合おもり３００の第１および第２の縦枠３１２，３１４は可能な限り近接させ、両縦枠３１２，３４１間に設けられるおもり片３１０の平面積をできるだけ稼ぐようにしている。例えば、本例では、図２に示す、ガイドレール３０４の先端と第１の縦枠３１２の隙間Ｇ１、ガイドレール３０６の先端と第２の縦枠３１４の隙間Ｇ２は、それぞれ８mm程度と狭小である。一般的にも、このＧ１とＧ２は、１０ｍｍ前後に設定されていると考えられる。
【００４３】
また、釣合おもり３００において、かご（不図示）と昇降路内ですれ違う際に、当該かごに面する側を正面、かごとは反対側を背面とすると、背面と昇降路壁とが非常に近接している場合が多い。例えば、背面と昇降路壁の隙間に、腕が入り込めない程度に近接していることがある。図２、図６、図７、および図８において、正面側を指す矢印に符号「Ｆ」を背面側を指す矢印に符号「Ｒ」を付して、前記正面と前記背面とを区別することとする。
【００４４】
〔補強器具の構成〕
上記の構成を有する釣合おもり３００のおもり枠３０８を補強するための補強器具１０について、図３、図４を参照しながら説明する。
【００４５】
図３に示すように、補強器具１０は、第１の介挿具１１０、第２の介挿具２１０、第１の引掛具１１２、および第２の引掛け具２１２を有する。
【００４６】
第１の介挿具１１０と第２の介挿具２１０、第１の引掛具１１２と第２の引掛具２１２とは、それぞれ、同様の構成である。よって、第１の介挿具１１０と第１の引掛具１１２を代表に説明する。この場合に、第１の介挿具１１０に関する構成部分には、百番台の符号を付し、第２の介挿具２１０に関する構成部分には、二百番台の符号を付し、両者に共通する構成部分に付す符号の下二桁は同じ番号として、第２の介挿具２１０の構成の説明については省略することとする。また、第１の引掛具１１２に関する構成部分には、百番台または千番台の符号を付し、第２の引掛具２１２に関する構成部分には、二百番台または二千番台の符号を付し、両者に共通する構成部分に付す符号の下二桁または下三桁は同じ番号として、第２の引掛具２１２の構成の説明については省略することとする。
【００４７】
第１の介挿具１１０は、長方形をしたベース板１１８を有する。ベース板１１８の長辺を含む側面の各々には、側板１２０，１２２が接合されている。この接合は、隅肉溶接（溶接ビードは不図示）によってなされている。
【００４８】
また、ベース板１１８の上面には、その長さ方向に間隔を空けて幅方向に平行に第１リブ板１２４と第２リブ板１２６が立設されている。第１リブ板１２４と第２リブ板１２６は、ベース板１１８、および側板１２０，１２２と隅肉溶接により接合されている（溶接ビードは不図示）。
【００４９】
ベース板１１８には、その長さ方向に長い長円形をした通しボルト挿通孔１２８が開設されている。通しボルト挿通孔１２８の開設位置は、第１リブ板１２４と第２リブ板１２６の間の第２リブ板１２６寄りの位置である。
【００５０】
第１リブ板１２４には、ベース板１１８の幅方向に並んだ２個のボルト挿通孔１３０，１３２が開設されている。
【００５１】
側板１２０，１２２の各々には、第２リブ板１２６を挟んだ両側に、厚み方向に貫通したねじ穴１３４，１３６，１３８，１４０が形成されている。
【００５２】
なお、第１の介挿具１１０の幅Ｗｋ１（図３）は、第１の縦枠３１２の幅Ｗｆ１（図２）と同じ大きさに設定されている。
【００５３】
次に、第１の引掛具１１２について説明する。第１の引掛具１１２は、第１の鉤状部材１１４と第２の鉤状部材１１６とからなる。
【００５４】
第１の鉤状部材１１４は、短冊状をした鋼板の一端部がＬ字状に（直角に）屈曲されてなる本体１１４１を有する。本体１１４１において、屈曲部位を境に、長手方向における一端部までの距離が短い方の部分を引掛部１１４１Ａと称し、距離が長い方の部分を連結部１１４１Ｂと称することとする。
【００５５】
連結部１１４１Ｂ側面の幅方向における下方寄りの位置には、長手方向に延びる補強リブ１１４３が隅肉溶接（溶接ビードは不図示）により接合されている。また、連結部１１４１Ｂには、補強リブ１１４３の上方に、長手方向に並んで、２個のボルト挿通孔１１４１Ｃ，１１４１Ｄが開設されている。
【００５６】
引掛部１１４１Ａの側面には、四角鋼からなる当て金１１４５が、図４に示すように接合されている。当該接合は、当て金１１４５の両端部に対し、隅肉溶接（溶接ビードは不図示）によりスポット的になされている。
【００５７】
第２の鉤状部材１１６は、第１の鉤状部材１１４と同様の構成を有している。すなわち、短冊状をした鋼板の一端部がＬ字状に（直角に）屈曲されてなる本体１１６１を有し、その連結部１１６１Ｂ側面には補強リブ１１６３が接合され、補強リブ１１６３の上方には、２個のボルト挿通孔１１６１Ｃ，１１６１Ｄが開設されている。引掛部１１６１Ａの側面には、当て金１１６５が接合されている。
【００５８】
補強器具１０は、また、第１の鉤状部材１１４および第２の鉤状部材１１６と第１の介挿具１１０とを連結する連結具である連結ボルト１４２を４個有している。連結ボルト１４２は、ばね座金付きボルトである。連結ボルト１４２のねじの外径とボルト挿通孔１１４１Ｃ，１１４１Ｄ，１１６１Ｃ，１１６１Ｄの径は、連結ボルト１４２を、ボルト挿通孔１１４１Ｃ，...，１１６１Ｄにスムーズに挿入できると共に、挿入後に、連結ボルト１４２がガタツクことのないような大小関係に設定されている。
【００５９】
補強器具１０は、さらに、第１の介挿具１１０と第２の介挿具２１０を締結する締結具である、二組の締結ボルト１２、締結ナット１４、およびばね座金１６を有する。２個の締結ナット１４の各々は、そのねじ孔が、第１の介挿具１１０の第１リブ板１２４に開設されたボルト挿通孔１３０，１３２と連通する状態で、第１リブ板１２４に隅肉溶接（符号「１８」を付したのが溶接ビード）で接合されている。
【００６０】
上記の構成部材からなる補強器具１０は、図５に示すように、釣合おもり３００のおもり枠３０８における第１の縦枠３１２と第２の縦枠３１４を連結するように装着される。なお、図５において、便宜上、ガイドレール３０４，３０６、通しボルト３２０，３２２、ワイヤロープ３０２、シャックルロッド３４８を含む連結手段３５０、ガイドシュー３４０，３４２，３４４，３４６（図１）等については図示を省略している。
【００６１】
補強器具１０の上下方向における装着位置は、第１および第２の縦枠３１２，３１４の撓みを効果的に抑制するという観点から、図示例のように、第１および第２の縦枠３１２，３１４の上下部同士をそれぞれ連結する上枠３１６と下枠３１８間の中央部が好ましい。
【００６２】
釣合おもり３００に装着された状態における、補強器具１０の構成部材間の関係について図６を参照しながら説明する。なお、図６（ｂ）では、側板１２０，２２２の一部を切り欠いて表している。
【００６３】
コ字状の横断面を有する第１の縦枠３１２の前記コ字における第１角部３１２Ｃ１に第１の鉤状部材１１４が第２の縦枠３１４に向かって引掛けられ、第２角部３１２Ｃ２に第２の鉤状部材１１６が第２の縦枠３１４に向かって引掛けられている。第１および第２の鉤状部材１１４，１１６は、第１の縦枠３１２の前記コ字の開口部３１２ａとは反対側の側面３１２ｂに当て金１１４５，１１６５を当接させた形で引掛けられている。
【００６４】
第１の縦枠３１２に引掛けられた第１および第２の鉤状部材１１４，１１６（第１の引掛具１１２）と第１の介挿具１１０は、４個の連結ボルト１４２によって連結されている。すなわち、(a)第１の鉤状部材１１４に開設されたボルト挿通孔１１４１Ｃ，１１４１Ｄ（図３、図４）と第１の介挿具１１０の側板１２０に形成されたねじ穴１３６，１３４（図３、図４）がそれぞれ連通した状態で、２個の連結ボルト１４２がボルト挿通孔１１４１Ｃ，１１４１Ｄにそれぞれ挿入され、ねじ穴１３６，１３４に螺合され、(b)第２の鉤状部材１１６に開設されたボルト挿通孔１１６１Ｃ，１１６１Ｄ（図３、図４）と第１の介挿具１１０の側板１２２に形成されたねじ穴１３８，１４０（図３、図４）がそれぞれ連通した状態で、２個の連結ボルト１４２がボルト挿通孔１１６１Ｃ，１１６１Ｄにそれぞれ挿入され、ねじ穴１３８，１４０に螺合されて、第１および第２の鉤状部材１１４，１１６と第１の介挿具１１０が連結されている。
【００６５】
第２の引掛具２１２を構成する第１および第２の鉤状部材２１４，２１６が第２の縦枠３１４に引掛けられた状態で、第２の介挿具２１０と連結される態様は、上記した第１の引掛具１１２、第１の介挿具１１０と同様なので、その説明については省略する。
【００６６】
第１の引掛具１１２が連結された第１の介挿具１１０と第２の引掛具２１２が連結された第２の介挿具２１０とは、二組の締結ボルト１２・締結ナット１４によって締結されている。すなわち、ばね座金１６が嵌められた２本の締結ボルト１２が、第１リブ板２２４に開設されたボルト挿通孔２３０，２３２（図３）と第１リブ板１２４に開設されたボルト挿通孔１３２，１３０（図３、図４）に挿入され、対応する締結ナット１４に螺合されて、第１の介挿具１１０と第２の介挿具２１０が締結されている。
【００６７】
〔補強器具の装着手順〕
上記の構成からなる補強器具１０の既存の釣合おもり３００への装着手順について説明する。
先ず、図１に示す状態の釣合おもり３００において、通しボルト３２０，３２２を取り外す[第１工程]。
【００６８】
次に、積み重ねられている複数のおもり片３１０の内、補強器具１０の装着予定位置よりも上側に位置するおもり片３１０を一または複数個（本例では、５個のおもり片３１０ａ〜３１０ｅ）をおもり枠３０８から取り外す[第２工程]。おもり片３１０ａ〜３１０ｅの取り外しは、最上位のおもり片３１０ａから１個ずつ順次なされる。おもり片３１０は、図１に示す水平姿勢から、一端部を持ち上げて斜めの姿勢にすることにより、取り外し対象とされているおもり片３１０（例えば、おもり片３１０ａ）の直下のおもり片３１０（例えば、おもり片３１０ｂ）と上枠３１６との間に存する空間から、容易に取り外すことができる。
【００６９】
取り外し対象のおもり片３１０ａ〜３１０ｅが全て取り外されると、そのときに最上位に在るおもり片３１０（本例では、おもり片３１０ｆ）の上面に、第１の介挿具１１０（図３）を載置する[第３工程]。
【００７０】
載置された第１の介挿具１１０に、第１の鉤状部材１１４と第２の鉤状部材１１６を４個の連結ボルト１４２でそれぞれ連結する[第４工程]。図７に示すように、第１の鉤状部材１１４は、正面Ｆ側から、一点鎖線で示すように、第１の介挿具１１０の側板１２０にあてがい、ボルト挿通孔１１４１Ｃ，１１４１Ｄ（図４）をそれぞれ、側板１２０のねじ穴１３６，１３４（図４）に連通させた状態で、２個の連結ボルト１４２で連結する。第２の鉤状部材１１６は、背面Ｒ側から、一点鎖線で示すように、第１の介挿具１１０の側板１２２にあてがい、ボルト挿通孔１１６１Ｃ，１１６１Ｄ（図４）をそれぞれ、側板１２２のねじ穴１３８，１４０（図４）に連通させた状態で、２個の連結ボルト１４２で連結する。この場合、釣合おもり３００の背面Ｒと昇降路（不図示）の側壁とが近接しているとはいえ、手を差し挟む程度の隙間は十分に確保されているため、無理なく第２の鉤状部材１１６と第１の介挿具１１０とを連結することができる。なお、第１の介挿具１１０に対する第１および第２の鉤状部材１１４，１１６の連結順序は、上記の逆でも構わない。すなわち、第２の鉤状部材１１６を連結した後に、第１の鉤状部材１１４を連結することとしても構わない。なお、この段階では、当て金１１４５，１１６５（図６）は、必ずしも、一点鎖線で示すように、第１の縦枠３１２の側面３１２ｂに当接している必要はない。
【００７１】
以上のように、第１の縦枠３１２に引掛ける第１の引掛具１１２を第１の鉤状部材１１４と第２の鉤状部材１１６の二つの部材で構成し、第１の鉤状部材１１４は、釣合おもり３００の正面Ｆ側から、第２の鉤状部材１１６は、同背面Ｒ側から第１の縦枠３１２に取り付けるようにした。これにより、釣合おもり３００をガイドレール３０４，３０６から取り外すことなく、第１の引掛具１１２を第１の縦枠３１２に取り付ける（引掛ける）ことができる。
【００７２】
また、第１の鉤状部材１１４と第２の鉤状部材１１６とは、図７に一点鎖線で示すように、第１の縦枠３１２に引掛られた状態で、第１の縦枠３１２の側面３１２ｂ上に存する端部同士の間には、ガイドレール３０４（の先端部）との干渉を防ぐ間隙が形成されるため、釣合おもり３００の昇降に支障をきたすことがない。
【００７３】
第２の介挿具２１０、第１および第２の鉤状部材２１４，２１６も、上記した第１の介挿具１１０等と同様にして、第２の縦枠３１４に取り付けられる。すなわち、おもり片３１０ｆの上面に第２の介挿具２１０を載置し[第５工程]、載置された第２の介挿具２１０に、第１および第２の鉤状部材２１４，２１６を４個の連結ボルト２４２で連結する[第６工程]。この段階では、当て金２１４５，２１６５（図６）は、必ずしも、第２の縦枠３１４の側面３１４ｂに当接している必要はない。
【００７４】
なお、言うまでもなく、第３、第４工程と第５、第６工程とは、上記の逆になっても構わない。すなわち、第５、第６工程の後に、第３、第４工程を実施しても構わない。
【００７５】
第１および第２の鉤状部材１１４，１１６と第１の介挿具１１０とが連結され、第１および第２の鉤状部材２１４，２１６と第２の介挿具２１０とが連結されると[第３〜第６工程]、第１の介挿具１１０と第２の介挿具２１０とが相互に近接するように、両者を手で引き寄せる。これにより、当て金１１４５，１１６５、当て金２１４５，２１６５が、第１の縦枠３１２の側面３１２ｂ、第２の縦枠３１４の側面３１４ｂにそれぞれ、確実に当接することとなる[第７工程]。
【００７６】
そして、二組の締結ボルト１２・締結ナット１４によって、第１の介挿具１１０と第２の介挿具２１０を締結する[第８工程]。図６は締結された状態を示している。
【００７７】
当て金１１４５，１１６５、当て金２１４５，２１６５が、第１の縦枠３１２の側面３１２ｂ、第２の縦枠３１４の側面３１４ｂにそれぞれ、当接された状態で[第７工程]、第１の介挿具１１０と第２の介挿具２１０との間には、間隔Ｄ１が空いており、当該間隔Ｄ１が縮小される向きに、すなわち、第１の介挿具１１０と第２の介挿具２１０が相互に引き寄せられる向き、ひいては、第１の引掛具１１２と第２の引掛具２１２が相互に引き寄せられる向き、引き付けた状態で、両介挿具１１０，２１０が締結される。このため、第１の縦枠３１２と第２の縦枠３１４の間隔（水平方向における両縦枠３１２，３１４間の距離）にバラツキがあったとしても、第１の引掛具１１２（第１および第２の鉤状部材１１４，１１６）と第２の引掛具２１２（第１および第２の鉤状部材２１４，２１６）を、それぞれ第１の縦枠３１２、第２の縦枠３１４に密接させた状態で、第１および第２の縦枠３１２，３１４を補強器具１０で連結することができる。これにより、前記バラツキがあったとしても、おもり枠３０８の補強機能を発揮できる状態で、補強器具１０が釣合おもり３００に取り付けられることとなる。
【００７８】
二組の締結ボルト１２・締結ナット１４による第１の介挿具１１０と第２の介挿具２１０の締結が完了すると、前記第２工程で取り外したおもり片３１０ａ〜３１０ｅをおもり枠３０８内に戻す[第９工程]。おもり片３１０をおもり枠３０８に戻す作業[第９工程]は、おもり片３１０をおもり枠３０８から取り外す作業[第２工程]とは逆の手順でなされる。すなわち、そのときにおもり枠３０８内に積み上げられているおもり片３１０の内、最上位に在るおもり片３１０（例えば、おもり片３１０ｄ）に対し、おもり枠３０８内に戻す対象とされているおもり片３１０（例えば、おもり片３１０ｃ）を斜めの姿勢にして、おもり片３１０ｄと上枠３１６との間に存する空間に進入させた後、水平姿勢にして、おもり片３１０ｄに積み重ねるのである。なお、おもり片３１０ｅは、補強器具１０に積み重ねられることとなる。
【００７９】
おもり片３１０ａ〜３１０ｅが全ておもり枠３０８内に戻されると[第９工程]、通しボルト３２０，３２２を取り付ける[第１０工程]。この場合、補強器具１０において、通しボルト３２０，３２２は、通しボルト挿通孔１２８，２２８に挿通される。
【００８０】
以上の第１〜第１０工程が実施されて、釣合おもり３００は、補強器具１０が装着されておもり枠３０８が補強されてなる釣合おもりとなる。
【００８１】
以上説明した補強器具１０の既設の釣合おもり３００への装着手順から明らかなように、本実施形態に係る補強器具１０によれば、釣合おもり３００をガイドレール３０４，３０６から取り外すことなく、補強器具１０を釣合おもり３００へ装着することができる。
【００８２】
また、釣合おもり３００に対して穴明け加工を施したり、また、釣合おもり３００が設置されている現場での溶接作業等が生じたりすることもない。
【００８３】
なお、上記の実施形態では、前記現場において、第１の介挿具１１０に第１の鉤状部材１１４と第２の鉤状部材１１６とを、連結ボルト１４２で連結したが（[第４工程]）、第１および第２の鉤状部材１１４，１１６のいずれか一方は、予め（例えば、補強器具１０の製造工場において）、連結しておいても構わない。すなわち、上記第３工程において、当該一方の鉤状部材が連結された第１の介挿具１１０を、そのときに最上位に在るおもり片３１０に載置するのである。
【００８４】
この場合に、連結ボルト１４２による連結作業が比較的し辛い背面Ｒ側になる第２の鉤状部材１１６を予め第１の介挿具１１０と連結しておくことが好ましい。また、当該連結は、ボルト（連結ボルト１４２）に限らず、他の連結手段、例えば、リベットによっても構わない。あるいは、溶接によって、第２の鉤状部材１１６と第１の介挿具１１０とを予め連結しても構わない。さらには、第２の鉤状部材１１６と第１の介挿具１１０を一体的に形成しても構わない。これは、例えば、側板１２２の、第２リブ板１２６側端部を延設し、当該延設部分の先端部をＬ字状に屈曲させて、第１の縦枠３１２の第２角部３１２Ｃ２に引掛ける部分を形成することにより実現される。
【００８５】
第１および第２の鉤状部材２１４，２１６のいずれか一方を、予め、第２の介挿具２１０連結しておいても構わないのは、上記した第１の介挿具１１０の場合と同様である。
【００８６】
＜実施形態２＞
実施形態２に係るエレベータの釣合おもり用補強器具２０（以下、単に「補強器具２０」と言う。）は、図８に示すように、第１リブ板１２４と第２リブ板１２６の間にスペーサ２２，２４を挟み込む構成としている。このスペーサ２２，２４が追加されている以外は、実施形態２の補強器具２０は、実施形態１の補強器具１０（図６）と同じ構成である。よって、図８において、補強器具１０（図６）と同様の構成部分には同じ符号を付して、その説明については省略するか、必要に応じて言及するに留める。
【００８７】
図９に示すように、スペーサ２２は、長方形の金属板からなり、厚み方向に開設されたボルト挿通孔２２Ａ，２２Ｂが長手方向に２個並んで設けられている。スペーサ２４は、スペーサ２２とは厚みのみが異なる金属板からなり、スペーサ２２と同様、厚み方向に開設されたボルト挿通孔２４Ａ，２４Ｂが長手方向に２個並んで設けられている。図９に示すように、スペーサ２４の方が、スペーサ２２よりも厚みが小さく設定されている。
【００８８】
図８に戻り、補強器具２０は、実施形態１の補強器具１０における上記第１〜第１０工程を経て、釣合おもり３００に装着されるが、補強器具２０では、前記第７工程と前記第８工程の間に、スペーサの挟みこみ工程（第７-１〜３工程）が実施される。
【００８９】
第７工程によって、当て金１１４５，１１６５、当て金２１４５，２１６５が、第１の縦枠３１２の側面３１２ｂ、第２の縦枠３１４の側面３１４ｂにそれぞれ当接した状態で、金尺またはノギス等によって、第１リブ板１２４と第１リブ板２２４の間隔Ｄ２を測定する[第７-１工程]。このとき測定される間隔Ｄ２の大きさは、言うまでも無く、第１の縦枠３１２と第２の縦枠３１４の間隔（水平方向における両縦枠３１２，３１４間の距離）に左右される。
【００９０】
そして、積層したときの合計の厚みＴが測定された間隔Ｄ２よりも若干小さくなるように、一または複数枚のスペーサ２２，２４を選定する[第７-２工程]。本例では、５枚のスペーサ２２と５枚のスペーサ２４が選定されている。測定された間隔Ｄ２と前記厚みＴの差は、締結ボルト１２と締結ナット１４の締付代Ｍ（＝Ｄ２−Ｔ）となる。
【００９１】
第７-２工程で、必要なスペーサ２２，２４が選定されると、５枚のスペーサ２２と５枚のスペーサ２４を、全てのボルト挿通孔２２Ａとボルト挿通孔２４Ａが連通し、全てのボルト挿通孔２２Ｂとボルト挿通孔２４Ｂが連通するように積層した上で、当該積層されたスペーサ２２，２４を、第１リブ板１２４と第１リブ板２２４の間に挿入する[第７-３工程]。
【００９２】
そして、実施形態１の場合と同様、二組の締結ボルト１２・締結ナット１４によって、第１の介挿具１１０と第２の介挿具２１０を締結する[第８工程]。このとき、２本の締結ボルト１２の一方は、連通されたボルト挿通孔２２Ａとボルト挿通孔２４Ａに挿入され、もう一方は、連通されたボルト挿通孔２２Ｂとボルト挿通孔２４Ｂに挿入される。
【００９３】
以上により、５枚のスペーサ２２と５枚のスペーサ２４が、第１リブ板１２４と第１リブ板２２４の間に挟みこまれた状態で、第１の介挿具１１０と第２の介挿具２１０が締結される。締結された状態で、第１リブ板１２４、スペーサ２４、スペーサ２２、および第１リブ板２２４は密着している。すなわち、締付代Ｍの分だけ、第１の介挿具１１０と第２の介挿具２１０が相互に引き寄せられ、ひいては、第１の引掛具１１２（第１および第２の鉤状部材１１４，１１６）と第２の引掛具２１２（第１および第２の鉤状部材２１４，２１６）が相互に引き寄せられる向きに、引き付けた状態で締結されることとなる。締結後において、第１リブ板１２４と第２リブ板２２４の間隔Ｄ２は、前記厚みＴと等しくなる（Ｄ２＝Ｔ）。
【００９４】
上記のように、スペーサ２２，２４を用いることにより、第１リブ板１２４、スペーサ２４、スペーサ２２、および第１リブ板２２４が密着したときに、締結ボルト１２の締付が完了となるため、必要以上に締め付けることを防止できることとなる。
【００９５】
＜実施形態３＞
実施形態１，２では、おもり枠３０８を構成する第１の縦枠３１２、第２の縦枠３１４に引掛ける第１の引掛具１１２、第２の引掛具２１２を、それぞれ、二つに分かれた部材（第１および第２の鉤状部材１１４，１１６、第１および第２の鉤状部材２１４，２１６）で構成した。これに対し、実施形態３に係る、エレベータの釣合おもり用補強器具３０（以下、単に「補強器具３０」と言う。）では、引掛具を一つの部材で構成している。
【００９６】
実施形態３の補強器具３０は、実施形態１の補強器具１０とは、引掛具および介挿具において、当該引掛具を連結する部分の構成が異なる以外は、基本的に同様である。よって、図１０に示す補強器具３０において、補強器具１０と同様の構成部分には同じ符号を付して、必要に応じて言及するに留め、以下、異なる部分を中心に説明する。
【００９７】
実施形態３に係る補強器具３０を構成する第１の引掛具１５０は、図１０（ａ）に示すように、ワイヤロープ１５２を含む。ワイヤロープ１５２は、例えば、ステンレス製で、その外径が２mmのものが用いられる。ワイヤロープ１５２の両端部は、環状に曲げられており、端部部分各々は、スリーブ状をしたステンレス製のクランプ管１５４，１５６でとめられている（かしめられている）。ここで、クランプ管１５４，１５６で止められて形成されたワイヤロープ１５２の環状部分をそれぞれ、ループ部１５２Ａ，１５２Ｂと称することとする。
【００９８】
補強器具３０を構成する第１の介挿具１５８の側板１６０，１６２の各々には、その厚み方向に貫通する貫通孔（不図示）が同軸上に開設されており、両貫通孔にシャフト１６４が挿入されている。側板１６０，１６２から突出したシャフト１６４両端部には、それぞれ、鍔部材１６６，１６８が圧入されている。なお、鍔部材１６６，１６８の外径は、ループ部１５２Ａ，１５２Ｂが通過できる程度の大きさに設定されている。
【００９９】
なお、補強器具３０においても、第２の引掛具（不図示）は第１の引掛具１５０と同様の構成であり、第２の介挿具（不図示）は第１の介挿具１５８と同様の構成なので、それらの説明については省略する。
【０１００】
上記の構成部材を有する補強器具３０では、図１０（ｃ）に示すように、第１の縦枠３１２に第１の引掛具１５０が第２の縦枠３１４（図１）に向かって引掛けられており、第１の縦枠３１２に引掛けられた第１の引掛具１５０のループ部１５２Ａが鍔部材１６８側のシャフト１６４端部部分に係留され、ループ部１５２Ｂが鍔部材１６６側のシャフト１６４端部部分に係留されて、第１の引掛具１５０が第１の介挿具１５８に連結されている。
【０１０１】
第１の引掛具１５０が連結された第１の介挿具１１０と前記第２の引掛具が連結された前記第２の介挿具（いずれも不図示）が、二組の締結ボルト１２・締結ナット１４（図３）によって締結される構成は、実施形態１の場合と同様なので、その説明については省略する。
【０１０２】
なお、第１の引掛具１５０の第１の縦枠３１２への引掛けは、例えば、正面Ｆ側からループ部１５２Ａを、ガイドレール３０４の先端と第１の縦枠３１２の側面３１２ｂとの隙間Ｇ１を通して、背面Ｒ側へ進入させることにより実現できる。当該方法から明らかなように、実施形態３においても、釣合おもり３００（図１）をガイドレール３０４，３０６から外すことなく、第１の引掛具１５０を第１の縦枠３１２に引掛けることができる。
【０１０３】
隙間Ｇ１の大きさが８mmの場合、ワイヤロープ１５２の外径が２mmなので、ワイヤロープ１５２とガイドレール３０４の先端との隙間は６mm程度となる。この程度の隙間が空いておれば、釣合おもり３００の昇降中に、ワイヤロープ１５２がガイドレール３０４（の先端）に接触することはないため、問題は生じない。
【０１０４】
以上、実施形態３について説明してきたが、実施形態３は、上記したものに限らず、例えば、以下の変形例としても構わない。
（変形例）
（i）上記の例では、第１の縦枠３１２に第１の引掛具１５０を１本引掛けたが、これに限らず２本、あるいは３本以上引掛けることとしても構わない。
【０１０５】
（ii）あるいは、第１の引掛具１５０を略２倍の長さに変更し、二重にして第１の縦枠３１２に引掛けるようにしても構わない。すなわち、第１の引掛具１５０の長さ方向における中央部をシャフト１６４の鍔部材１６８側端部に引掛けて折り返し、ループ部１５２Ａ，１５２Ｂを両方共、シャフト１６４の鍔部材１６６側端部に係留させても構わない。この場合、第１の縦枠３１２の側面３１２ｂ上において、ワイヤロープ１５２を交差させないことに留意する。ワイヤロープ１５２とガイドレール３０４先端の隙間を不必要に狭くさせないためである。
【０１０６】
（iii）上記の例では、第１の引掛具１５０の両端をシャフト１６４に係留するため、ワイヤロープ１５２の両端部にループ部１５２Ａ，１５２Ｂを形成したが、ループ部１５２Ａ，１５２Ｂに代えて、金属環（不図示）をワイヤロープ１５２の両端部に接合しても構わない。
【０１０７】
（iv）上記の例では、第１の縦枠３１２に引掛けられる第１の引掛具１５０の主要部に索状体であるワイヤロープ１５２を用いたが、索状体は、ワイヤロープに限らず、例えば、スチールコード等の心線入りのゴムベルトや炭素繊維からなるベルトを用いても構わない。要は、可撓性を有していて、第１の縦枠３１２に引掛けることができ、第１の縦枠３１２に引掛けられて、その側面３１２ｂに密着した状態で、ガイドレール３０４の先端との隙間が、釣合おもり３００の昇降に支障をきたすほど小さいものにならないような索状体であれば構わないのである。
【０１０８】
以上、本発明に係る、エレベータの釣合おもり用補強器具を実施形態に基づいて説明してきたが、本発明は、上記した形態に限らないことは勿論であり、例えば、以下のような形態としても構わない。
【０１０９】
（１）上記実施形態において、釣合おもり３００は、複数のおもり片を貫通する通しボルトを有するタイプの釣合おもりであったが、通しボルトを有しない釣合おもりも、補強器具１０，２０，３０による補強の対象となる。例えば、おもり枠を構成する縦枠に取り付けられて、積み重ねられたおもり片の内の最上位のおもり片の上面を下方に向かって押さえる押さえ金具（不図示）を有するタイプの釣合おもりも、補強器具１０，２０，３０による補強の対象（装着対象）となる。
【０１１０】
（２）上記実施形態では、補強器具１０，２０，３０は、既設の釣合おもりに装着したが、これに限らず、新設する釣合おもりに装着しても構わない。すなわち、釣合おもりに補強器具１０，２０，３０を装着した後、当該釣合おもりをガイドレールにセットしても構わない。
【０１１１】
（３）上記実施形態では、第１の介挿具１１０と第２の介挿具２１０を締結する締結具として、締結ボルト１２と締結ナット１４を用いたが、締結ナット１４に代えて、以下のようにしても構わない。すなわち、第１リブ板１２４に開設されているボルト挿通孔１３０，１３２をねじ穴とし、当該ねじ穴に締結ボルト１２を螺合させても構わない。
【０１１２】
（４）上記実施形態１，２では、第１の介挿具１１０と第１および第２の鉤状部材１１４，１１６とを連結具である連結ボルト１４２で連結したが、これに限らず、例えば、ブラインドリベット（不図示）で連結しても構わない。この場合、側板１２０，１２２に形成したねじ穴１３４，...，１４０に代えて、単なる貫通孔（不図示）とする。そして、当該４個の貫通孔と（ボルト挿通）孔１１４１Ｃ，１１４１Ｄ，１１６１Ｃ，１１６１Ｄとをそれぞれ連通させた状態で、ブラインドリベットの本体胴部を挿入してかしめるのである。なお、ブラインドリベットで連結しても構わないのは、第２の介挿具２１０と第１および第２の鉤状部材２１４，２１６との連結も同様である。
【産業上の利用可能性】
【０１１３】
本発明に係るエレベータの釣合おもり用補強器具は、例えば、既存の釣合おもりのおもり枠の補強に好適に利用することができる。
【符号の説明】
【０１１４】
１０，２０，３０    エレベータの釣合おもり用補強器具
１２    締結ボルト
１４    締結ナット
１１０，１５８    第１の介挿具
１１２，１５０    第１の引掛具
２１０    第２の介挿具
２１２    第２の引掛具
３００    釣合おもり
３１０    おもり片
３１２    第１の縦枠
３１４    第２の縦枠
３１６    上枠
３１８    下枠
【図１】
0006464915.tif 000002
【図２】
0006464915.tif 000003
【図３】
0006464915.tif 000004
【図４】
0006464915.tif 000005
【図５】
0006464915.tif 000006
【図６】
0006464915.tif 000007
【図７】
0006464915.tif 000008
【図８】
0006464915.tif 000009
【図９】
0006464915.tif 000010
【図１０】
0006464915.tif 000011